(57)【要約】【課題】検査する物品の長さが長い場合でも、電源配線の接続に起因する信頼性低下が起こり難い検査照明装置を提供する。【解決手段】この検査照明装置１は、長尺の１枚の第１のＬＥＤ基板２と長尺の１枚又は複数枚の第２のＬＥＤ基板３が長手方向に並べられた検査照明装置であって、第１のＬＥＤ基板２は、複数個のＬＥＤ６が搭載されており、第２のＬＥＤ基板３は、第１のＬＥＤ基板２に搭載されたＬＥＤ６の数の２倍の数のＬＥＤ６が搭載されている。【選択図】図１
2020060515.tif 000002
【特許請求の範囲】
【請求項１】
長尺の１枚の第１のＬＥＤ基板と長尺の１枚又は複数枚の第２のＬＥＤ基板が長手方向に並べられた検査照明装置であって、
前記第１のＬＥＤ基板は、複数個のＬＥＤが搭載されており、
前記第２のＬＥＤ基板は、前記第１のＬＥＤ基板に搭載された前記ＬＥＤの数の２倍の数の前記ＬＥＤが搭載されていることを特徴とする検査照明装置。
【請求項２】
長尺の１枚又は複数枚の第１のＬＥＤ基板と長尺の１枚又は複数枚の第２のＬＥＤ基板が長手方向に並べられた検査照明装置であって、
前記第１のＬＥＤ基板は、複数個のＬＥＤが搭載されており、
前記第２のＬＥＤ基板は、前記第１のＬＥＤ基板に搭載された前記ＬＥＤの数の１．５倍の数の前記ＬＥＤが搭載されていることを特徴とする検査照明装置。
【請求項３】
請求項１又は２に記載された検査照明装置を含むことを特徴とする検査照明装置セット。
【発明の詳細な説明】
【技術分野】
【０００１】
本発明は、ライン状の光を物品に照射する検査照明装置及び検査照明装置セットに関する。
【背景技術】
【０００２】
従来より、工場で生産された物品（製品）の検査（欠陥、キズ、汚れ、異物などの外観検査）を行うために、物品の形状・構造や検査内容等に合わせた種々の照明装置が用いられてきた。その中には、ライン状の光を物品に照射する検査照明装置も用いられている。
【０００３】
このような検査照明装置は、複数個のＬＥＤ（発光ダイオード）が搭載された長尺のＬＥＤ基板が用いられ、検査する物品の様々な長さに対応するため、ＬＥＤ基板を１枚用いるものの他に、検査する物品の長さが長い場合、その同じＬＥＤ基板を複数枚直列に並べて用いるようにするのが通常である。例えば、特許文献１の実施例（段落００４１〜００４７）には、長尺のＬＥＤ基板（線状光源）とシリンドリカル凹面反射鏡を備えたユニット（線状照明装置ユニット）をレール上に並べて連接することにより、任意の長さの検査照明装置（線状照明装置）を構成できるようにしたものが開示されている。
【先行技術文献】
【特許文献】
【０００４】
【特許文献１】特開２００２−９３２２７号公報
【発明の概要】
【発明が解決しようとする課題】
【０００５】
しかしながら、特許文献１を含め従来のライン状の光を物品に照射する検査照明装置は、同じＬＥＤ基板を複数枚直列に並べるとき、並べる枚数の増加に従って電源配線の接続箇所も増加し、それに起因して信頼性が低下（換言すれば、故障可能性が増加）し易くなる。
【０００６】
本発明は、係る事由に鑑みてなされたものであり、その目的は、検査する物品の長さが長い場合でも、電源配線の接続に起因する信頼性低下が起こり難い検査照明装置及び検査照明装置セットを提供することにある。
【課題を解決するための手段】
【０００７】
上記目的を達成するために、請求項１に記載の検査照明装置は、長尺の１枚の第１のＬＥＤ基板と長尺の１枚又は複数枚の第２のＬＥＤ基板が長手方向に並べられた検査照明装置であって、前記第１のＬＥＤ基板は、複数個のＬＥＤが搭載されており、前記第２のＬＥＤ基板は、前記第１のＬＥＤ基板に搭載された前記ＬＥＤの数の２倍の数の前記ＬＥＤが搭載されていることを特徴とする。
【０００８】
請求項２に記載の検査照明装置は、長尺の１枚又は複数枚の第１のＬＥＤ基板と長尺の１枚又は複数枚の第２のＬＥＤ基板が長手方向に並べられた検査照明装置であって、前記第１のＬＥＤ基板は、複数個のＬＥＤが搭載されており、前記第２のＬＥＤ基板は、前記第１のＬＥＤ基板に搭載された前記ＬＥＤの数の１．５倍の数の前記ＬＥＤが搭載されていることを特徴とする。
【０００９】
請求項３に記載の検査照明装置セットは、請求項１又は２に記載された検査照明装置を含むことを特徴とする。
【発明の効果】
【００１０】
本発明の検査照明装置又は検査照明装置セットによれば、検査する物品の長さが長い場合でも、電源配線の接続に起因する信頼性低下が起こり難くなる。
【図面の簡単な説明】
【００１１】
【図１】本発明の実施形態に係る検査照明装置を模式的に示す平面図であって、第２のＬＥＤ基板は第１のＬＥＤ基板に搭載されたＬＥＤの数の２倍の数のＬＥＤが搭載されているものを例示するものである。
【図２】本発明の実施形態に係る図１で示した検査照明装置のＬＥＤ基板を拡大して模式的に示す平面図であって、（ａ）が第１のＬＥＤ基板、（ｂ）が第２のＬＥＤ基板を示すものである。
【図３】図１の比較の検査照明装置を模式的に示す平面図であって、第１のＬＥＤ基板のみを並べたものを例示するものである。
【図４】本発明の実施形態に係る他の検査照明装置を模式的に示す平面図であって、第２のＬＥＤ基板は第１のＬＥＤ基板に搭載されたＬＥＤの数の１．５倍の数のＬＥＤが搭載されているものを例示するものである。
【図５】本発明の実施形態に係る図４で示した他の検査照明装置のＬＥＤ基板を拡大して模式的に示す平面図であって、（ａ）が第１のＬＥＤ基板、（ｂ）が第２のＬＥＤ基板を示すものである。
【図６】本発明の実施形態に係る検査照明装置の図１で示した例の変形例を模式的に示す平面図であって、図１で示した１列のＬＥＤ基板を複数列にしたものである。
【発明を実施するための形態】
【００１２】
以下、本発明を実施するための形態を説明する。本発明の実施形態に係る検査照明装置１は、図１に示すように、長尺の１枚の第１のＬＥＤ基板２と長尺の１枚又は複数枚（図１の例では３枚）の第２のＬＥＤ基板３が長手方向に並べられている。検査照明装置１は、ライン状の光を物品に照射する検査照明装置である。図１における符号４は電源ケーブル、符号５Ａ、５Ｂは、細長い金属板や電線などの電源配線（例えば、プラス電源配線とマイナス電源配線）を示している。
【００１３】
第１のＬＥＤ基板２は、図１及び図２（ａ）に示すように、複数個（図１及び図２（ａ）の例では１８個）のＬＥＤ６が搭載されている。図２（ａ）における符号２ａ、２ｂはそれぞれ、電源配線５Ａ、５Ｂが接続される接続箇所（端子）を示している。
【００１４】
第２のＬＥＤ基板３は、図１及び図２（ｂ）に示すように、第１のＬＥＤ基板２に搭載されたＬＥＤ６の数の２倍の数（図１及び図２（ａ）の例では３６個）のＬＥＤ６が搭載されている。図２（ｂ）における符号３ａ、３ｂはそれぞれ、電源配線５Ａ、５Ｂが接続される接続箇所（端子）を示している。第２のＬＥＤ基板３の長手方向のサイズは、第１のＬＥＤ基板２のものの約２倍、第２のＬＥＤ基板３の幅方向のサイズは、第１のＬＥＤ基板２のものと同一になるように製造されている。
【００１５】
検査照明装置１は、検査する物品の様々な長さに対応するためＬＥＤ６の総数を変えた検査照明装置セットに含ませることができる。下記の表１は、その検査照明装置セットを例示したものである。表１に示す検査照明装置セットは、検査照明装置に搭載されたＬＥＤ６の総数を１８（基本単位数）ずつ違えてセット（シリーズ）としたものである。表１の中で、検査照明装置１に該当するものは、ＬＥＤ６の総数が５４、９０、１２６、１６２、１９８、２３４、２７０、３０６、３４２のものである。図１では、ＬＥＤ６の総数が１２６のものを示している。表１の中で、検査照明装置１に該当しないものについては、ＬＥＤ６の総数が１８のものは第１のＬＥＤ基板２のみ１枚で構成し、ＬＥＤ６の総数が３６、７２、１０８、１４４、１８０、２１６、２５２、２８８、３２４、３６０のものは第２のＬＥＤ基板３のみ１枚又は複数枚で構成することができる。
【００１６】
このように、検査照明装置に搭載されたＬＥＤ６の総数を基本単位数ずつ違えてセットとした検査照明装置セットは、検査照明装置１の構成要素である第１のＬＥＤ基板２と第２のＬＥＤ基板３を並べることで全て実現可能である。よって、この検査照明装置セットは、その他のＬＥＤ基板を用意する必要はない。なお、表１ではＬＥＤ６の総数が３６０までのものしか示していないが、３７８以上のものも可能である。
【００１７】
【表１】
2020060515.tif 000003
【００１８】
表１の比較として、図３に示すように、基本単位数（１８個）のＬＥＤ６を搭載したＬＥＤ基板（つまり、第１のＬＥＤ基板２）のみを並べて検査照明装置（図３では符号１０１で示す）を構成させた場合で、そのＬＥＤ基板の数を変えて複数種そろえた場合の検査照明装置セットを下記の表２に示す。
【００１９】
【表２】
2020060515.tif 000004
【００２０】
表１を表２と比較すると、表１の場合は表２の場合よりも、ＬＥＤ基板の総数をほぼ２分の１に少なくすることができ、つまり、圧着や半田付けなどによる電源配線５Ａ、５ＢのＬＥＤ基板への接続箇所の数を少なくすることができる。従って、検査照明装置１及びそれを含む検査照明装置セットは、電源配線５Ａ、５Ｂの接続に起因する信頼性低下を起こり難くすることが可能になる。
【００２１】
次に、本発明の実施形態に係る他の検査照明装置を説明する。本発明の実施形態に係る他の検査照明装置１’は、図４に示すように、長尺の１枚又は複数枚（図４の例では２枚）の第１のＬＥＤ基板２’と長尺の１枚又は複数枚（図４の例では１枚）の第２のＬＥＤ基板３’が長手方向に並べられている。検査照明装置１’は、ライン状の光を物品に照射する検査照明装置である。図４における符号４は電源ケーブル、符号５Ａ、５Ｂは、細長い金属板や電線などの電源配線（例えば、プラス電源配線とマイナス電源配線）を示している。
【００２２】
第１のＬＥＤ基板２’は、図４及び図５（ａ）に示すように、複数個（図４及び図５（ａ）の例では３６個）のＬＥＤ６が搭載されている。図５（ａ）における符号２ａ’、２ｂ’はそれぞれ、電源配線５Ａ、５Ｂが接続される接続箇所（端子）を示している。
【００２３】
第２のＬＥＤ基板３’は、図４及び図５（ｂ）に示すように、第１のＬＥＤ基板２’に搭載されたＬＥＤ６の数の１．５倍の数（図４及び図５（ｂ）の例では５４個）のＬＥＤ６が搭載されている。図５（ｂ）における符号３ａ’、３ｂ’はそれぞれ、電源配線５Ａ、５Ｂが接続される接続箇所（端子）を示している。第２のＬＥＤ基板３’の長手方向のサイズは、第１のＬＥＤ基板２’のものの約１．５倍、第２のＬＥＤ基板３’の幅方向のサイズは、第１のＬＥＤ基板２’のものと同一になるように製造されている。
【００２４】
検査照明装置１’は、検査する物品の様々な長さに対応するためＬＥＤ６の総数を変えた検査照明装置セットに含ませることができる。下記の表３は、その検査照明装置セットを例示したものである。表３に示す検査照明装置セットは、検査照明装置に搭載されたＬＥＤ６の総数を１８（基本単位数）ずつ違えてセット（シリーズ）としたものである。表３の中で、検査照明装置１’に該当するものは、ＬＥＤ６の総数が９０、１２６、１４４、１８０、１９８、２３４、２５２、２８８、３０６、３４２、３６０のものである。図４では、ＬＥＤ６の総数が１２６のものを示している。表３の中で、検査照明装置１’に該当しないものについては、ＬＥＤ６の総数が３６、７２のものは第１のＬＥＤ基板２’のみ１枚又は複数枚で構成し、ＬＥＤ６の総数が５４、１０８、１６２、２１６、２７０、３２４のものは第２のＬＥＤ基板３’のみ１枚又は複数枚で構成することができる。
【００２５】
このように、検査照明装置に搭載されたＬＥＤ６の総数を基本単位数ずつ違えてセットとした検査照明装置セットは、ＬＥＤ６の総数がＬＥＤ６の基本単位数となるもの（表３におけるＬＥＤの総数が１８のもの）以外、検査照明装置１’の構成要素である第１のＬＥＤ基板２’と第２のＬＥＤ基板３’を並べることで全て実現可能である。よって、この検査照明装置セットは、ＬＥＤ６の総数がＬＥＤ６の基本単位数となるもの以外、その他のＬＥＤ基板を用意する必要はない。ＬＥＤ６の総数がＬＥＤ６の基本単位数の２倍以上でセット化（シリーズ化）したものなどに好適である。なお、表３ではＬＥＤ６の総数が３６０までのものしか示していないが、３７８以上のものも可能である。
【００２６】
【表３】
2020060515.tif 000005
【００２７】
表３を表１と比較すると、表３の場合は表１の場合よりも、ＬＥＤ基板の総数を更に少なくすることができ、つまり、圧着や半田付けなどによる電源配線５Ａ、５ＢのＬＥＤ基板への接続箇所の数を更に少なくすることができる。このことは、ＬＥＤ６の総数が多くなるほど顕著である。従って、検査照明装置１’及びそれを含む検査照明装置セットは、電源配線５Ａ、５Ｂの接続に起因する信頼性低下を更に起こり難くすることが可能になる。
【００２８】
以上、本発明の実施形態に係る検査照明装置及び検査照明装置セットについて説明したが、本発明は、実施形態に記載したものに限られることなく、特許請求の範囲に記載した事項の範囲内でのさまざまな設計変更が可能である。例えば、図１に示した検査照明装置１では、長尺の１枚の第１のＬＥＤ基板２と長尺の１枚又は複数枚の第２のＬＥＤ基板３が長手方向に並べられているのが１列のものであるが、これを、図６に示すように複数列（図６では、３列）有する検査照明装置１’’のように変形することができる。図４に示した検査照明装置１’についても同様である。
【００２９】
１、１’、１’’  検査照明装置
２、２’  第１のＬＥＤ基板
３、３’  第２のＬＥＤ基板
４    電源ケーブル
５Ａ、５Ｂ  電源配線
６    ＬＥＤ
【図１】
2020060515.tif 000006
【図２】
2020060515.tif 000007
【図３】
2020060515.tif 000008
【図４】
2020060515.tif 000009
【図５】
2020060515.tif 000010
【図６】
2020060515.tif 000011